(57)【要約】【課題】棒状の工具の先端部に備えられて開閉する一対の把持片に、確実に把持されるようにしたケーブル用グリップを提供する。【解決手段】このケーブル用グリップは、二股状のサイド爪部２１，２１を有する一端部２０と、このサイド爪部２１，２１の間隔よりも狭い幅のセンター爪部３１を有する他端部３０と、両端部２０，３０間で一対の被把持部１２，１３を設ける中間部１０とが、板バネを曲げ加工することによって一体成形され、板バネの中間部１０が曲げ加工されることで、各端部２０，３０が対向するとともに、各被把持部１２，１３が対向するように成形されている。そして、このケーブル用グリップは、少なくとも一方の被把持部１３をフラット面とし、フラット面としない他方の被把持部１２に係止部１５を設けている。【選択図】図１
2015053828.tif 000002
【特許請求の範囲】
【請求項１】
離れて並列した少なくとも一対の爪部を有する一端部と、該一対の爪部の間隔よりも狭い幅の爪部を有する他端部と、両端部間で一対の被把持部を設ける中間部とが、板バネを曲げ加工することにより一体成形され、各端部が対向するとともに各被把持部が対向しているケーブル用グリップにおいて、
前記一対の被把持部の少なくとも一方がフラット面とされていることを特徴とするケーブル用グリップ。
【請求項２】
前記フラット面とされた被把持部は、各端部の間隔を拡げるように先端側を外向きに傾斜した姿勢とされていることを特徴とする請求項１に記載のケーブル用グリップ。
【請求項３】
前記フラット面とされた一方の被把持部に対する他方の被把持部は、円弧状に形成され、該円弧状の被把持部の外面に係合部が設けられていることを特徴とする請求項１又は２に記載のケーブル用グリップ。
【請求項４】
前記被把持部は、滑止め部を備えていることを特徴とする請求項１ないし３のいずれか一項に記載のケーブル用グリップ。
【発明の詳細な説明】
【技術分野】
【０００１】
本発明は、板バネ部材の両端部が向き合うように曲げられた常態から両端部が交差するように外力が加えられ、外力が加えられなくなくなると、バネ力によって元の常態に戻ろうとする両端部で電線などのケーブルを挟持するケーブル用グリップに関する。
【背景技術】
【０００２】
高圧鉄塔や電柱などには、位相が異なったＲ相の電線、Ｓ相の電線及びＴ相の電線の３本が一組として架設されている。しかし、電線の外観は、外径が同一であったり、黒色であったりするため、見ただけでは、電線がどの位相であるかを識別することが困難である。そこで、電線を見ただけで位相を識別できるようにしたケーブル用グリップが提供されている（例えば特許文献１の図６、図７参照）。
【０００３】
ケーブル用グリップ（特許文献１では「位相グリップ」と記載されており、以下、主として「グリップ」という。）は、図７に示すように、着色された１枚の板バネの中間部１１０をＣ字状に曲げ加工し、両端部１２０，１３０を対向させた構成とされている。最も離れて対向する板バネの中間部１１０は、円弧状の被把持部１１２，１１３とされている。
【０００４】
また、一端部１２０は、二股形状とされ、一対の爪部（以下、「サイド爪部」という。）１２１，１２１を設けたものとされている。他端部１３０の中心には、一対のサイド爪部１２１，１２１の間隔よりも幅の狭い１本の爪部（以下、「センター爪部」という。）１３１が設けられている。
【０００５】
このような各端部１２０，１３０は、中間部１１０がＣ字状に曲げられていることから対向している。そして、サイド爪部１２１，１２１の中間部１２２とセンター爪部１３１の中間部１３２とは、使用中でない常態においてその間隔が狭くなるように括れ、電線Ｃ（図８参照）を挟持する（以下、各爪部１２１，１３１の中間部を「挟持部１２２，１３２」という。）。また、サイド爪部１２１，１２１の先端部１２３とセンター爪部１３１の先端部１３３とは、外向きに曲げ加工されている。
【０００６】
そして、グリップは、一対の被把持部１１２，１１３の間隔が狭くなるように、一対の被把持部１１２，１１３が押圧されることで、センター爪部１３１の挟持部１３２が一対のサイド爪部１２１，１２１の挟持部１２２間に進入し、交差する。この状態から一対の被把持部１１２，１１３が押圧されなくなると、バネ性によって両爪部１２１，１３１の挟持部１２２，１３２が離れて対向する元の常態に戻る。
【０００７】
このようなグリップは、例えば赤色、白色、青色に着色され、それぞれの色別に高所のＲ相の電線、Ｓ相の電線及びＴ相の電線に装着される。このグリップを電線Ｃに装着するには、経済損失が大きな停電作業や危険が伴う直接活線作業でなく、図示しない間接活線工具を使用する間接活線作業によって行われている。
【０００８】
間接活線工具は、一対の絶縁操作棒の先端に取り付けられて開閉する一対の板状の把持片を備えている。把持片の対向面は、平坦面とされている。このような間接活線工具を使用して、グリップを電線Ｃに装着するには、まず、一対の把持片が開いた状態でグリップの被把持部１１２，１１３を挟み、閉じることで被把持部１１２，１１３を押圧する。
【０００９】
すると、被把持部１１２，１１３の間隔が狭められ、グリップのセンター爪部１３１が一対のサイド爪部１２１，１２１間を交差するように進入する。そして、センター爪部１３１の挟持部１３２と一対のサイド爪部１２１，１２１の挟持部１２２との間に電線Ｃを介在させる。
【００１０】
次に、間接活線工具の一対の把持片がグリップの一対の被把持部１１２，１１３を挟まないようにする。すると、グリップは、板バネを曲げたもので、バネ性によって元の常態に戻ろうとする復元力を有していることから、図８に示すように、センター爪部１３１の挟持部１３２と一対のサイド爪部１２１，１２１の挟持部１２２，１２２とが電線Ｃを挟持する状態となる。そして、グリップが着色されていることから、グリップに挟持された電線Ｃは、Ｒ相であるか、Ｓ相であるか、Ｔ相であるかを見ただけで識別できるものとなる。
【先行技術文献】
【特許文献】
【００１１】
【特許文献１】特開２００７−７４８２４号公報
【発明の概要】
【発明が解決しようとする課題】
【００１２】
背景技術で説明したグリップは、センター爪部１３１と一対のサイド爪部１２１，１２１とが離れた状態から交差した状態に変形し、再び離れた常態に復元することができるように、板バネの中間部１１０がＣ字状に曲げ加工され、被把持部１１２，１１３が円弧状に成形されている。一方、間接活線工具の把持片の対向面は、平坦面に形成されている。
【００１３】
したがって、間接活線工具の把持片がグリップの被把持部１１２，１１３を挟んだ状態において、グリップの被把持部１１２，１１３と間接活線工具の把持片とは、線接触した状態となる。
【００１４】
そうすると、間接活線工具の把持片は、グリップの一対の被把持部１１２，１１３を不安定に把持することから、的確に押圧できず、センター爪部１３１の挟持部１３２と一対のサイド爪部１２１，１２１の挟持部１２２，１２２とが電線Ｃを挟持できないこともある。また、間接活線工具の把持片に不安定に把持されたグリップは、滑って落下することもある。
【００１５】
そこで、本発明は、棒状の工具の先端部に備えられて開閉する一対の把持片に、確実に把持されるようにしたケーブル用グリップを提供することを課題とする。
【課題を解決するための手段】
【００１６】
本発明に係るケーブル用グリップは、離れて並列した少なくとも一対の爪部を有する一端部と、該一対の爪部の間隔よりも狭い幅の爪部を有する他端部と、両端部間で一対の被把持部を設ける中間部とが、板バネを曲げ加工することにより一体成形され、各端部が対向するとともに各被把持部が対向しているケーブル用グリップにおいて、前記一対の被把持部の少なくとも一方がフラット面とされていることを特徴としている。
【００１７】
このケーブル用グリップによれば、被把持部の少なくとも一方がフラットに形成されていることにより、例えば間接活線工具の平坦な把持片がフラットに形成された被把持部と面接触し、安定した状態に把持することができる。したがって、間接活線工具の一対の板状の把持片がケーブル用グリップの一対の被把持部を挟み、閉じることで一対の被把持部が押圧されると、一端部側の爪部間に他端部側の爪部が確実に進入し、両爪部が交差する状態となる。この交差した両爪部間にケーブルを介在させた後、間接活線工具の一対の把持片が一対の被把持部を挟まなくすると、各端部が対向する元の状態に戻ろうとするバネ力が作用するため、ケーブルは、両爪部に挟持される。
【００１８】
ここで、本発明に係るケーブル用グリップの一態様として、前記フラット面とされた被把持部は、各端部の間隔を拡げるように先端側を外向きに傾斜した姿勢とされている構成を採用することができる。
【００１９】
このケーブル用グリップによれば、フラット面とされた被把持部が、各端部の間隔を拡げるように先端側を外向きに傾斜した姿勢となっていることにより、間接活線工具の一対の把持片が先端側で開閉する場合に、フラット面とされた被把持部が板状の把持片の開閉の方向に沿うようにすることができる。
【００２０】
また、本発明に係るケーブル用グリップの他態様として、前記フラット面とされた一方の被把持部に対する他方の被把持部は、円弧状に形成され、該円弧状の被把持部の外面に係合部が設けられている構成を採用することができる。
【００２１】
このケーブル用グリップによれば、円弧状に形成された被把持部が間接活線工具の把持片と線接触するが、間接活線工具の平坦な把持片が係合部に係合することで、把持片が円弧状に形成された被把持部から外れにくいようにすることができる。
【００２２】
また、本発明に係るケーブル用グリップのさらに異なる他態様として、前記被把持部は、滑止め部を備えている構成を採用することができる。
【００２３】
このケーブル用グリップによれば、被把持部が滑止め部を備えることにより、間接活線工具の把持片に把持された被把持部が把持片から滑り落ちにくいようにすることができる。
【発明の効果】
【００２４】
本発明によれば、棒状の工具の先端部に備えられて開閉する一対の把持片に、確実に把持されるようにしたケーブル用グリップを提供することができる。
【図面の簡単な説明】
【００２５】
【図１】図１は、本発明に係るケーブル用グリップの第１実施形態における使用前を示し、（ａ）は正面図、（ｂ）は側面図である。
【図２】図２は、本発明に係るケーブル用グリップの第１実施形態における変形途中を示す正面図である。
【図３】図３は、本発明に係るケーブル用グリップの第１実施形態における使用中を示し、（ａ）は正面図、（ｂ）は側面図である。
【図４】図４は、本発明に係るケーブル用グリップの第２実施形態における使用前を示し、（ａ）は正面図、（ｂ）は側面図である。
【図５】図５は、本発明に係るケーブル用グリップの第２実施形態における変形途中を示す正面図である。
【図６】図６は、本発明に係るケーブル用グリップの第２実施形態における使用中を示し、（ａ）は正面図、（ｂ）は側面図である。
【図７】図７は、従来の位相グリップにおける使用前を示し、（ａ）は正面図、（ｂ）は側面図である。
【図８】図８は、従来の位相グリップにおける使用中を示し、（ａ）は正面図、（ｂ）は側面図である。
【発明を実施するための形態】
【００２６】
本発明に係るケーブル用グリップの第１実施形態について図１ないし図３を参照しながら説明する。このケーブル用グリップ（以下、第１実施形態において主として「グリップ」という。）は、位相グリップとして使用するために着色された１枚の板バネによって中間部１０と両端部２０，３０とを一体成形している。
【００２７】
一端部２０は、二股状とされ、一対の爪部（以下、「サイド爪部」という。）２１，２１を設けている。他端部３０の中心には、一対のサイド爪部２１，２１の間隔よりも狭い幅の爪部（以下、「センター爪部」という。）３１が設けられている。このような両端部２０，３０は、板バネの中間部１０が曲げ加工されることで対向している。
【００２８】
また、各端部２０，３０の間隔は、バネ性によって変更可能とされている。間隔が狭くされることで、センター爪部３１がサイド爪部２１，２１間に進入し、センター爪部３１の中間部３２とサイド爪部２１，２１の中間部２２とが交差する。
【００２９】
そして、両爪部２１，３１の中間部２２，３２は、使用中でない常態においてその間隔が狭くなるように括れ、電線Ｃを把持する（以下、各爪部２１，３１の中間部を「挟持部２２，３２」という。）。サイド爪部２１，２１の先端部２３，２３とセンター爪部３１の先端部３３とは、外向きとなるように曲げ加工されている。
【００３０】
そして、板バネの中間部１０には、対向する一対の被把持部１２，１３が設けられている。一方の被把持部１３がフラット面とされ、他方の被把持部１２が円弧状に形成されている。フラット面とされた一方の被把持部１３は、一端部２０と他端部３０との間隔を拡げるように先端（他端部３０）側を外向きに傾斜した姿勢とされている。したがって、一方の被把持部１２と他方の被把持部１３との境界は、少し折れ曲がった状態の曲がり目１４とされている。
【００３１】
また、円弧状に形成された他方の被把持部１２の外面には、係止部１５が設けられている。係止部１５は、間接活線工具１の片方の把持片２が挿通される挿通穴１５ａを有する角筒状に形成される。したがって、挿通穴１５ａは、曲がり目１４と他端部３０とを結ぶ方向を向いている。
【００３２】
ただし、係止部１５は、図示しないが、Ｌ字状のフックなどによって設けられてもよい。Ｌ字状のフックの場合は、板バネの中間部１０から突出する付け根部と、この付け根部の先端から板バネの中間部１０と平行な方に延出した板状部とを備えている。付け根部は、当然ながら、曲がり目１４と一端部２０を結ぶ方向に向けられている。
【００３３】
そして、両被把持部１２，１３の外面は、滑止め部（採番せず）を備えている。滑止め部は、ローレット加工するなどによって設けてもよいし、多数の凹凸を施したシートなどを各被把持部１２，１３に貼り付けることによって設けてもよい。
【００３４】
このグリップは、以上のように構成され、次に、使用方法について説明する。このグリップは、間接活線工具１を使用して、電線Ｃに装着される。間接活線工具１は、Ｖ字状に開いた状態と平行に閉じた状態とに開閉する一対の板状の把持片２，３を一対の絶縁棒４，５（図２参照）の先端部に備えている。
【００３５】
一対の把持片２，３は、Ｖ字状に開いた状態で、グリップの各被把持部１２，１３を挟む。一方の被把持部１３がフラット面とされ、また、外向きに傾斜した姿勢とされていることにより、一方の把持片２と一方の被把持部１３とは面接触する。また、他方の把持片２と他方の被把持部１２とは、線接触する。しかし、他方の把持片２は、係止部１５の挿通穴１５ａ内に挿通される。したがって、このグリップは、間接活線工具１の把持片２，３から外れ落ちにくくなっている。
【００３６】
間接活線工具１の一対の把持片２，３が開いてグリップの各被把持部１２，１３を挟んだ状態において、両爪部２１，３１の挟持部２２，３２は、図１に示すように、離れて対向している。
【００３７】
そして、間接活線工具１の一対の把持片２，３が閉じられると、両爪部２１，３１の挟持部２２，３２が近づき、図２に示すように、センター爪部３１の挟持部３２が一対のサイド爪部２１，２１の挟持部２２間に進入してから交差し、両爪部２１，３１の先端部２３，３３間が離れる。そして、この離れた両爪部２１，３１の先端部２３，３３間から両爪部２１，３１の挟持部２２，３２間に電線Ｃを入れた状態とする。
【００３８】
そして、間接活線工具１の把持片２，３をグリップの被把持部１２，１３から外す。すると、グリップは、板バネによって成形され、バネ性を有していることから、両爪部２１，３１の挟持部２２，３２が離れて向き合う元の常態に戻ろうとする。したがって、電線Ｃは、図３に示すように、両爪部２１，３１の挟持部２２，３２間に挟持される。
【００３９】
次に、本発明に係るケーブル用グリップの第２実施形態について、図４ないし図６を参照しながら説明する。このケーブル用グリップ（以下、第２実施形態において主として「グリップ」という。）は、第１実施形態と同様、二股状の一対の爪部（以下、「サイド爪部」という。）２１，２１を有する一端部２０と、この一対のサイド爪部２１，２１の間隔よりも狭い幅の爪部（以下、「センター爪部」という。）３１を有する他端部３０と、両端部２０，３０間で一対の被把持部１２，１３を設ける中間部１０とを板バネによって一体成形し、各端部２０，３０が対向するように中間部１０が曲げ加工され、バネ性によって各端部２０，３０の間隔を変更可能とされている。
【００４０】
そして、両方の被把持部１２，１３がフラット面とされ、両方の端部２０，３０の間隔を拡げる方向に斜め向きの姿勢とされている。したがって、この両方の被把持部１２，１３には、係止部１５が設けられていない。ただし、この両方の被把持部１２，１３の外面には、第１実施形態と同様、滑止め部（採番せず）が備えられている。
【００４１】
このグリップは、以上のように構成され、次に、使用方法について説明する。このグリップも、間接活線工具１を使用して、電線Ｃに装着される。間接活線工具１は、Ｖ字状に開いた状態と平行に閉じた状態とに開閉する一対の把持片２，３を絶縁棒４，５（図５参照）の先端部に備えている。
【００４２】
一対の把持片２，３は、Ｖ字状に開いた状態で、グリップの各被把持部１２，１３を挟む。両方の被把持部１２，１３がフラット面とされ、また、斜め向きとされていることにより、両方の把持片２，３と両方の被把持部１２，１３とは面接触し、しかも、被把持部１２，１３が滑止め部を備えていることから、グリップは、間接活線工具１の把持片２，３から外れ落ちにくくなっている。
【００４３】
この状態において、両爪部２１，３１の挟持部２２，３２は、図４に示すように、離れて対向している。そして、間接活線工具１の一対の把持片２，３が閉じられると、両爪部２１，３１の挟持部２２，３２が近づき、図５に示すように、センター爪部３１の挟持部３２が一対のサイド爪部２１，２１の挟持部２２間に進入してから交差し、両爪部２１，３１の先端部２３，３３間が離れる。そして、この離れた両爪部２１，３１の先端部２３，３３間から両爪部２１，３１の挟持部２２，３２間に電線Ｃを入れた状態とする。
【００４４】
そして、間接活線工具１の把持片２，３をグリップの被把持部１２，１３から外す。すると、グリップは、板バネによって成形され、バネ性を有していることから、両爪部２１，３１の挟持部２２，３２が元の離れて向き合う元の状態に戻ろうとする。したがって、電線Ｃが図６に示すように、両爪部２１，３１の挟持部２２，３２間に挟持される。
【００４５】
なお、本発明は、前記第１、第２の実施形態に限定することなく種々変更することができる。例えば、サイド爪部２１，２１は、二股でなく、三股以上とし、センター爪部３１もサイド爪部２１，２１にあわせて二股以上としてもよい。また、フラット面とする被把持部は、間接活線工具１の把持片２，３の形態によっては、傾斜していなくてもよい。
【００４６】
また、間接活線工具１の把持片２，３が滑りにくく形成されているときは、被把持部１２，１３が滑止め部を備えていなくてもよい。また、第１の実施形態において、円弧状の被把持部１３の外面に係止部１５を設けたものとしたが、間接活線工具１の把持片２，３の形態などによっては、係止部１５を設けないものとしてもよい。
【００４７】
また、上記第１、第２の実施形態では、ケーブル用グリップは電線Ｃを挟持するグリップとして使用する場合について説明したが、電話線などのケーブルを挟持し、操作棒の先端部に備えられた一対の把持片２，３によって遠隔操作され、電話線などのケーブルを挟持するものとして使用してもよい。電話線などのケーブルにおいては、間接活工具でない工具を使用してもよく、また、板バネは着色されていなくてもよい。
【符号の説明】
【００４８】
１０………中間部
１２………被把持部
１３………被把持部
１５………係止部
２０………一端部
２１………爪部（サイド爪部）
３０………他端部
３１………爪部（センター爪部）
【図１】
2015053828.tif 000003
【図２】
2015053828.tif 000004
【図３】
2015053828.tif 000005
【図４】
2015053828.tif 000006
【図５】
2015053828.tif 000007
【図６】
2015053828.tif 000008
【図７】
2015053828.tif 000009
【図８】
2015053828.tif 000010